(57)【特許請求の範囲】
【請求項１】
自転車のクランクにペダル軸を結合する構造において、先端部に環状周溝を備えたペダル軸と、クランクに該ペダル軸の先端部を挿入する雌ねじが刻設された軸孔を形成し、当該雌ねじに螺合するペダル受具を具備し、クランクの先端を納める収納部ａと、抜止用係止具を納める収納部ｂとを備え、当該収納部ａと収納部ｂとを貫き前記ペダル受具が挿入される貫通孔を形成したペダル固定具を具備し、前記抜止用係止具は中央部にカ−ル状係止リングと、この係止リングを挟んで左右に垂下する係止爪とを備え、前記収納部ｂにはその左右に爪受部を形成したものであり、クランクの先端をペダル固定具の収納部ａに挿入し、軸孔にペダル受具を螺合してペダル固定具をクランクに固定し、ペダル受具にペダル軸を挿入し、次いで抜止用係止具を収納部ｂに挿入してペダル軸の先端に形成した環状周溝にカ−ル状係止リングを嵌合すると共に、係止爪を収納部ｂに形成した爪受部に嵌め込んでなるクランクとペダル軸の結合構造。
【発明の詳細な説明】
【０００１】
【発明の属する技術分野】
本発明は自転車のペダルとクランクとの新規な結合構造に関する。
【０００２】
【従来の技術】
近年、非専門店を介して自転車の販売が行われる場合が多くなり、自転車の技術知識の乏しい者によって自転車の組立てが行われることから、自転車の組立作業の簡便性が要求されている。特に自転車のペダルは幅方向にはみ出すことから、店頭での販売時に初めて組み立てられることが多く、ペダルとクランクとの組立構造は作業の容易な簡単な構造のものが望まれている。
【０００３】
このペダルとクランクの組立にあっては、クランクの軸孔にペダル軸の先端部を対応させ、両者をクランクの軸孔部に設けた雌ねじと、ペダル軸の先端に設けた雄ねじによってネジ止めする構造が採用されている。そして、ペダルは前向きに踏み込むことから、その踏み込みによって締付けネジが締まる方向に、即ち、右のペダル軸及びクランクの軸孔には左ネジが、左のペダル軸及びクランクの軸孔には右ネジが切ってある。
【０００４】
しかしながら、このクランクにペダルを組付ける作業が容易ではなく、上記したようにペダル軸に刻設されたネジは左右のペダルで逆に形成されていることから、左右のペダルを識別した上で各ペダルをクランクに螺合する必要があり、更に、左右のペダルをクランクに螺合する際には、これらのペダル軸を夫々に形成したネジ方向に応じて回動させ、所定の力で締め付ける必要があり、好ましくは専用の工具を必要とするものであった。
【０００５】
【発明が解決しようとする課題】
即ち、従来の構造のものでは左右のペダルの組立作業が画一化されていないことから、特に技術的知識に乏しい者が組立作業を行う場合には該作業に手間がかかる不都合がある。
本発明は自転車のクランクにペダル軸を結合する構造において、未習熟な者でも容易に素早く組立てることができる結合構造を提供するものである。
【０００６】
【課題を解決するための手段】
本発明は以上の課題を達成するためになされたものであって、その要旨は、自転車のクランクにペダル軸を結合する構造において、先端部に環状周溝を備えたペダル軸と、クランクに該ペダル軸の先端部を挿入する雌ねじが刻設された軸孔を形成し、当該雌ねじに螺合するペダル受具を具備し、クランクの先端を納める収納部ａと、抜止用係止具を納める収納部ｂとを備え、当該収納部ａと収納部ｂとを貫き前記ペダル受具が挿入される貫通孔を形成したペダル固定具を具備し、前記抜止用係止具は中央部にカ−ル状係止リングと、この係止リングを挟んで左右に垂下する係止爪とを備え、前記収納部ｂにはその左右に爪受部を形成したものであり、クランクの先端をペダル固定具の収納部ａに挿入し、軸孔にペダル受具を螺合してペダル固定具をクランクに固定し、ペダル受具にペダル軸を挿入し、次いで抜止用係止具を収納部ｂに挿入してペダル軸の先端に形成した環状周溝にカ−ル状係止リングを嵌合すると共に、係止爪を収納部ｂに形成した爪受部に嵌め込んでなるクランクとペダル軸の結合構造にかかるものである。
【０００７】
【発明の実施の形態】
本発明は以上の通りであって、従来のままのクランクとペダルをそのまま結合できるものであり、ペダル固定具とペダル軸の抜止用係止具をもってこれを結合すればよいものであり、従来のように左右のペダルによって結合構造が異なるという不便さが解消されたものである。
【０００８】
そして、ペダル固定具と抜止用係止具とによるクランクとペダル軸との係止は極めて簡単であり、ペダル固定具に挿入されたペダル軸に対して収納部ｂに抜止用係止具を収納するだけで自然にカ−ル状係止リングがペダル軸の環状周溝に嵌合するものであり、ここにペダル軸の抜けが防止されることになる。
【０００９】
それと共に、ペダル固定具と抜止係止具との係合は爪とこれに係合する爪受部をもって係止されるが、この係止は抜止係止具の爪を構成する垂下部を弾発変形させることによって簡単にその係止を解くことができるものである。尚、後述する実施例にあっては、垂下部を外側より押圧して係止を解除する例を示すが、これに限ることはなく、例えば、垂下部の先端自体を内側に変形させて係止を解くこともできる。
【００１０】
即ち、ペダル固定具の収納部ｂに抜止係止具を挿入するだけでペダル軸を係止し、かつ、抜止係止具の爪を内側に曲げることにより容易にその係合が解けることができるもので、このため、ペダルの取り付け、取り外しが極めて容易となり、素人でも専用工具を要さずに作業することができることとなったのである。
【００１１】
【実施例】
以下、本発明の自転車のクランクとペダル軸との結合構造を図面をもって更に詳細に説明する。
図１は本発明のクランクとペダル軸との結合構造をほどこした斜視図であり、図２はその分解図である。図中、符号１はクランク、２はペダル、３はペダル軸である。そして４はペダル受具、５はペダル固定具、６は抜止係止具である。さて、クランク１の先端に雌ねじ７を刻設した軸孔８が形成されている。一方、ペダル軸３にはその先端に環状周溝９を周設したものである。そしてペダル受具４はフランジ部１０と雄ねじ部１１とよりなり、この例ではフランジ部１０には回動用溝１２が形成されていて、この雄ねじ部１１は前記した軸孔８における雌ねじ７と螺合されるものである。
【００１２】
さて、ペダル固定具５はクランク１を収める収納部ａと後述する抜止係止具６を収める収納部ｂとを備え、これにはペダル軸３を挿入する貫通孔１３が形成されている。一方、抜止係止具６は中央にカ−ル状係止リング１４を備え、その左右に垂下部１５、１５を備えると共にこの先端外側に爪１６、１６が形成されている。この垂下部１５、１５は弾発性を有しており、この弾発性によって爪１６、１６の係止及びその解除を行うことになる。
【００１３】
ペダル固定具５には前記したように抜止係止具６を収める収納部ｂを備えられるが、この収納部ｂには前記した抜止係止具６の爪１６、１６に対応する爪受部、この例では孔１７、１７が左右に形成され、かつ、この爪受部１７、１７の上方には垂下部１５、１５を外側より押圧するための孔１８、１８が開けられている。即ち、この孔１８、１８より垂下部１５、１５を内側に押すことにより爪１６と爪受部１７との係止が解除されることになる。
尚、図において収納部ｂの頂部における段部１９は抜止用係止具６の頂部のフランジ２０を納める部位である。
【００１４】
ここで本発明の結合構造における結合時の詳細を述べれば、先ずクランク１をペダル固定具５の収納部ａに差し込み、この両者を固定するためにペダル受具４をクランジ１の軸孔８の雌ねじ７に螺合する。次いで、ペダル２の軸３をかかるペダル受具４にペダル軸３の先端を収納部ｂにまで達するように挿入する。ここで、収納部ｂ内に抜止係止具６を差し込み、ペダル軸３の先端に形成した環状周溝９と抜止係止具６におけるカ−ル状係止リング１４とを嵌め合わせ、更にこれを押し込むことにより垂下部１５の先端の爪１６と爪受部１７とを嵌め合わせてなるものである。このように、本発明のクランクとペダル軸との結合構造によれば、いとも簡単に両者を結合できることとなり、素人の人でもその結合作業は容易である。
【００１５】
一方、ペダル２をクランク１より取り外すには、爪受部１７の上方に備えた孔１８、１８を利用し、左右から垂下部１５、１５を押すことによって爪１６と爪受部１７との係止は簡単に解除されることとなり、その後抜止係止具６を引き出せばよい。
【００１６】
【発明の効果】
本発明にあって、クランクとペダルとの取り付けはペダル固定具と抜止用係止具を用いることによって極めて簡単にだれでも取り付けられかつこれを取り外しできるものであり、その実用価値は極めて大きい。そして、両者の結合に際して従来のクランクやペダル軸を特別に加工する必要もないことから、そのまま採用できるものであり、コスト的にも安価である。
【図面の簡単な説明】
【図１】図１は本発明のクランクとペダル軸との結合構造を示す斜視図である。
【図２】図２は図１の結合構造の分解図である。
【符号の説明】
１‥‥クランク、
２‥‥ペダル、
３‥‥ペダル軸、
４‥‥ペダル受具、
５‥‥ペダル固定具、
６‥‥抜止係止具、
７‥‥軸孔内に刻設された雌ねじ、
８‥‥クランクの先端の軸孔、
９‥‥ペダル軸先端の環状周溝、
１０‥‥ペダル受具のフランジ部、
１１‥‥ペダル受具の雄ねじ部、
１２‥‥ペダル受具の回動用溝、
１３‥‥ペダル固定具のペダル軸を挿入する貫通孔、
１４‥‥抜止係止具に備えたカ−ル状係止リング、
１５‥‥抜止係止具の左右に備えた垂下部、
１６‥‥垂下部先端の爪、
１７‥‥爪受部、
１８‥‥垂下部押圧用孔、
１９‥‥抜止係止具が納まる段部、
ａ‥‥ペダル固定具に備えられたクランク収納部、
ｂ‥‥ペダル固定具に備えられた抜止係止具収納部。
【図１】
0003944297.tif 000002
【図２】
0003944297.tif 000003